(57)【特許請求の範囲】
【請求項１】
墓石に墓標を刻設するための墓標文字の使用料を算出するための墓標文字使用料算出プログラムにおいて，
墓石に刻設しようとする墓標の文字或いは文字列とそのフォントの入力を確認する文字列入力確認手順と，
入力が確認された各墓標文字についての輪郭長を求める輪郭長取得手順と，
墓標文字の単位輪郭長当たりの文字使用料単価と上記輪郭長取得手順により得られた墓標文字の輪郭長から，各文字毎使用料を演算する文字当たり使用料演算手順と，
文字列全体について上記文字当たり使用料演算手順を繰り返し実行することにより文字列全体についての使用料を算出する料金算出手順とをコンピュータを用いて実行可能な墓標文字使用料算出プログラム。
【請求項２】
墓標文字を切り取ったゴム板を墓石に貼り付け，その上からサンドブラスト加工を行なうことにより墓石に墓標を刻設するための上記ゴム板に対する文字切り取りの料金を算出するためのゴム切り料金算出プログラムにおいて，墓石に刻設しようとする墓標の文字或いは文字列とそのフォントの入力を確認する文字列入力確認手順と，
入力が確認された各墓標文字についての輪郭長を求める輪郭長取得手順と，
墓標文字の単位輪郭長当たりのゴム切り単価と上記輪郭長取得手順により得られた墓標文字の輪郭長から，各文字毎のゴム切り価格を演算する文字当たりゴム切り価格演算手順と，
文字列全体について上記ゴム切り価格演算手順を繰り返し実行することによりゴム切り料金を算出する料金算出手順とをコンピュータを用いて実行可能なゴム切り料金算出プログラム。
【請求項３】
上記ゴム切り単価がゴム板の厚さに応じて決定されるものである請求項２記載のゴム切り料金算出プログラム。
【請求項４】
該ゴム切り料金算出プログラムがゴム切り装置を制御するコンピュータにインストールされているものであり，ゴム切り取り装置に対するゴム切り取り指令の出力に基づいて上記請求項１に記載の全ての手順が実行される請求項２或いは３のいずれかに記載のゴム切り料金算出プログラム。
【請求項５】
上記ゴム切り取り指令が，ゴム切りカッターのダウン指令である請求項４に記載のゴム切り料金算出プログラム。
【請求項６】
墓標文字を切り取ったゴム板を墓石に貼り付け，その上からサンドブラスト加工を行なうことにより墓石に墓標を刻設するための上記ゴム板に対する文字切り取りの料金を算出するためのゴム切り料金算出装置において，墓石に刻設しようとする墓標の文字或いは文字列とそのフォントの入力を確認する文字列入力確認手段と，
入力が確認された各墓標文字についての輪郭長を求める輪郭長取得手段と，
墓標文字の単位輪郭長当たりのゴム切り単価と上記輪郭長取得手段により得られた墓標文字の輪郭長から，各文字毎のゴム切り価格を演算する文字当たりゴム切り価格演算手段と，
文字列全体について上記ゴム切り価格演算手段による手順を繰り返し実行することによりゴム切り料金を算出する料金算出手段とを具備することを特徴とするゴム切り料金算出装置。
【請求項７】
上記ゴム切り単価がゴム板の厚さに応じて決定されるものである請求項６記載のゴム切り料金算出装置。
【請求項８】
ゴム切り取り装置に対するゴム切り取り指令の出力に基づいて請求項６に記載の全ての手段が実行される請求項６或いは７のいずれかに記載のゴム切り料金算出装置。
【請求項９】
上記ゴム切り取り指令が，ゴム切りカッターのダウン指令である請求項８に記載のゴム切り料金算出装置。
【請求項１０】
文字などの使用料を算出するためのコンテンツ使用量算出プログラムにおいて，
使用する文字或いは文字列とそのフォントの入力を確認する文字列入力確認手順と，
入力が確認された文字についての輪郭長を求める輪郭長取得手順と，
各文字の単位輪郭長当たりのゴム切り単価と上記輪郭長取得手順により得られた文字の輪郭長から，各文字毎の使用料を演算する文字当たり使用料演算手順と，
文字列全体について上記使用料演算手順を繰り返し実行することにより文字列についての全文字使用料を算出する料金算出手順とをコンピュータを用いて実行可能な文字使用料算出プログラム。
【発明の詳細な説明】
【０００１】
【発明の属する技術分野】
本発明は，文字をレンタルする業務，例えばデザイン事務所，印刷業者，石材加工業者（以下石材業者）等に文字コンテンツを使用させる業務に用いるプログラムに係り，一例として，墓石に墓標を刻む業務に用いる業務用プログラム，特に新規な業務を推進しうるプログラム及び装置に関するものである。
【０００２】
【従来の技術と課題】
従来，上記のような墓石に墓標を刻む業務の手順は次の通りである。
１．ゴム板から墓標の文字を切り取る。文字を切り取られたゴム板を墨切りゴムと呼ぶ。
２．墨切りゴムを墓石の表面に貼り付け，周知のサンドブラスト加工により文字を墓石に刻み込む。
上記１．の作業に用いられるゴム切り装置は，ゴム切りプロッタと呼ばれ，文字図形データを与えると，該文字図形の輪郭に沿ってゴム切りカッタを移動させ，ゴム切りを行なうものであり，周知である。
ところで墓標に用いる文字は特殊なもので，それ自身著作権の対象になっているものもある。墓標の文字の例を図１に示す。上記２．の墓標を彫る仕事は石材業者の業務であるが，石材業者は一般的に上記のような墓標文字を開発しないので，石材業者に上記墓標用の特殊文字を使わせ，その使用料を徴収する業務が存在しうる。文字レンタルサービス（以下略してＣＬＳという）である。本発明はこのＣＬＳの業務用のソフトウエアに関する。
このような文字レンタルサービスＣＬＳは，上記石材を対象とするものばかりでなく特殊な文字を使用するあらゆる場面，例えばデザイン事務所や広告業者における業務の場でも成立可能である。
本発明者は上記のようなＣＬＳという新しい業務について，コンピュータを用いた業務遂行プログラムを開発したので，ここ提案するものである。
【０００３】
【課題を解決するための手段】
従って本発明に係る墓標文字使用料算出プログラムは，
墓石に墓標を刻設するための墓標文字の使用料を算出するための墓標文字使用料算出プログラムにおいて，
墓石に刻設しようとする墓標の文字或いは文字列とそのフォントの入力を確認する文字列入力確認手順と，
入力が確認された各墓標文字についての輪郭長を求める輪郭長取得手順と，
墓標文字の単位輪郭長当たりの文字使用料単価と上記輪郭長取得手順により得られた墓標文字の輪郭長から，各文字毎使用料を演算する文字当たり使用料演算手順と，
文字列全体について上記文字当たり使用料演算手順を繰り返し実行することにより文字列全体についての文字使用料を算出する料金算出手順とをコンピュータを用いて実行可能な墓標文字使用料算出プログラムとして構成されている。
従って，この発明では，石材業者等が墓標文字という特殊な文字のフォントを自分で開発する必要がなく，文字をレンタルすることで大きい投資をすることなく安価に特殊文字を使用することが出来る。また文字をレンタルする側としても，文字の輪郭というゴム切りの手間に応じた料金を徴収することが出来るので，墓標製造業という産業の発達を図ることが出来る。
また本発明に係るゴム切り料金算出プログラムは，
墓標文字を切り取ったゴム板を墓石に貼り付け，その上からサンドブラスト加工を行なうことにより墓石に墓標を刻設するための上記ゴム板に対する文字切り取りの料金を算出するためのゴム切り料金算出プログラムにおいて，
墓石に刻設しようとする墓標の文字或いは文字列とそのフォントの入力を確認する文字列入力確認手順と，
入力が確認された各墓標文字についての輪郭長を求める輪郭長取得手順と，
墓標文字の単位輪郭長当たりのゴム切り単価と上記輪郭長取得手順により得られた墓標文字の輪郭長から，各文字毎のゴム切り価格を演算する文字当たりゴム切り価格演算手順と，
文字列全体について上記ゴム切り価格演算手順を繰り返し実行することによりゴム切り料金を算出する料金算出手順とをコンピュータを用いて実行可能なゴム切り料金算出プログラムとして構成されている。
従って，墓標を作成する側にとって大きい投資をすることなく墓標文字を使うことが出来，墓標文字レンタル側にとっても健全な発展を図ることが出来る。
更に，上記ゴム切り単価をゴム板の厚さに応じて決定するようにすることで，ゴムの厚さが厚くなるほど困難になるゴム切り作業について適正な価格が設定されるので，ゴム切り業の健全な発展が期待される。
該ゴム切り料金算出プログラムは，ゴム切り装置を制御するコンピュータにインストールされるのが一般的である。
上記ゴム切り取り指令を，ゴム切りカッターのダウン指令によっても良い。
本発明を装置として把握すると，
墓標文字を切り取ったゴム板を墓石に貼り付け，その上からサンドブラスト加工を行なうことにより墓石に墓標を刻設するための上記ゴム板に対する文字切り取りの料金を算出するためのゴム切り料金算出装置において，
墓石に刻設しようとする墓標の文字或いは文字列とそのフォントの入力を確認する文字列入力確認手段と，
入力が確認された各墓標文字についての輪郭長を求める輪郭長取得手段と，
墓標文字の単位輪郭長当たりのゴム切り単価と上記輪郭長取得手段により得られた墓標文字の輪郭長から，各文字毎のゴム切り価格を演算する文字当たりゴム切り価格演算手段と，
文字列全体について上記ゴム切り価格演算手段による手順を繰り返し実行することによりゴム切り料金を算出する料金算出手段とを具備することを特徴とするゴム切り料金算出装置として構成することも出来る。
効果としてはプログラムの場合と同様である。
この場合も上記ゴム切り単価をゴム板の厚さに応じて決定してもよい。ゴム切り取り装置に対するゴム切り取り指令の出力に基づいて全ての手段が実行されるような構成も本発明に含まれる。
従って上記ゴム切り取り指令を，ゴム切りカッターのダウン指令により実行することも可能である。
文字のような輪郭を持ったコンテンツについては，本発明を適用すること出来る。
例えば文字などの使用料を算出するためのコンテンツ使用量算出プログラムにおいて，
使用する文字或いは文字列とそのフォントの入力を確認する文字列入力確認手順と，
入力が確認された文字についての輪郭長を求める輪郭長取得手順と，
各文字の単位輪郭長当たりのゴム切り単価と上記輪郭長取得手順により得られた文字の輪郭長から，各文字毎の使用料を演算する文字当たり使用料演算手順と，文字列全体について上記使用料演算手順を繰り返し実行することにより文字列についての全文字使用料を算出する料金算出手順とを具備することを特徴とする文字使用料算出プログラムがそれである。
このような一般化された発明も本発明の範囲に属するものである。
【０００４】
【発明の実施の形態】
続いて，添付図面を参照して，本発明を具体化した実施の形態について説明し本発明の理解に供する。
ここに図１は，本発明で取り扱うことが出来る種々のフォントで書かれた墓標を示す図，図２は，本発明の一実施例に係るゴム切り料金算出プログラムのメインフローを示すフローチャート，図３は，上記プログラムにおける課金前処理を示すフローチャート，図４及び図５は，これらのプログラムに用いることの出来るデータベースの一例を示す図，図６は，石材業者のパソコンを中心としたブロック図，図７は石材業者のパソコンにおける処理手順中に登場する初期画面の一例を示す図である。
【０００５】
前提としてのゴム切り料金算出プログラムが使われる状況を説明する。
石材業者はゴム切り装置を所有しており，石材業者はＣＬＳ業者から文字のレンタルを受ける。文字は辞書の形でＣＤ−ＲＯＭに記憶されており，ＣＬＳ業者は石材業者にＣＤ−ＲＯＭで文字コンテンツを石材業者に供給する。上記ＣＤ−ＲＯＭには本ソフトウエアも格納されており，石材業者が上記ＣＤ−ＲＯＭ中の文字を使用するとその文字使用料がこのソフトウエアに基づいてカウントされ，後記する図５の外部メモリ３の予納金が減算される。また文字列を含む文字情報をゴム切り装置に出力してゴム切りを行うと，その使用した文字の輪郭の長さやゴムも厚さなどに基づくゴム切り料金が予納金から減算される。こうしてゴム切り業務の遂行に従って予納金が底をつくと，ユーザである石材業者はインターネットを介してＣＬＳサーバに接続し，自動支払いなどの手段で金額を支払い予納金を蓄積する。
また石材業者は，その特殊文字で書いた墓標をプリントアウトしたい場合がある。この場合も，石材業者はこのプログラムを用いてプリンタに文字データを出力するので，その出力時点で文字の使用料が掛かることになる。
以下に説明する実施の形態は，ゴム切り料金算出プログラムが，石材業者のパーソナルコンピュータにインストールされている場合を取り扱う。すでに述べたようにゴム切り装置自身は公知であり，パソコンから出力される文字および文字列情報，ゴム厚情報に基づいてカッターを動作させ，ゴム切り作業を行なう。
【０００６】
上記石材業者が所有するゴム切り装置を制御するパーソナルコンピュータを中心としたハード構成について図５を参照してまず説明する。
上記パソコンＰＣは，他のクライアントＰＣと同様，図示しない通信手段を介してＣＬＳサーバに接続されたインターネットＩＮに接続されている。上記パソコンＰＣには更にゴム切り装置ドライバ１を介してゴム切り装置２が接続されている。またパソコンＰＣには外部メモリ３が接続されている。
上記外部メモリ３には各ユーザ毎にＣＬＳ業者が預かっている予納金の金額を記憶する領域と，ユーザＩＤを記憶する領域と，後記する価格計算変数テーブルを記憶する領域が設けられている。
またパソコンＰＣには，更にフォントに関する辞書のデータが記憶されたＣＤ−ＲＯＭが接続されている。
以下の手順を遂行するゴム切り料金算出プログラムは上記ＣＤ−ＲＯＭに記憶されており，ＣＰＵにより該ＣＤ−ＲＯＭから読み出され，ＲＡＭに展開されて実行される。
次に図２に示したフローチャートに従って上記パーソナルコンピュータによるゴム切り料金算出プログラムの内容を説明する。
ここにＳ１，Ｓ２…は処理手順（ステップ）の番号である。
【０００７】
最初にユーザがこのプログラムを起動すると図６に示した書体変更システムの初期画面が表示される。
初期画面には，ユーザＩＤ欄Ｄ１，変換元ファイルの保存先を表示する変換元ファイル欄Ｄ２，変換後のデータの保存先を表示する変換後保存先欄Ｄ３，予納金の残り金額欄Ｄ４，変換前の辞書とそのフォントを表示する辞書欄Ｄ５，変換後のフォントを表示するフォント欄Ｄ７，変換に要する金額を表示する変換金額欄Ｄ８，変換前におけるフォント（辞書）及び変換後におけるフォントをセットで表示する確認欄Ｄ９の各入力欄と，変換処理の実行を命令するための変換処理実行ボタンＢ１，確認欄９に情報を追加する追加ボタンＢ２，確認欄９から情報を削除する削除ボタンＢ３及び文字列をプリンタに出力して印刷を命令するための記録印刷ボタンＢ４がそれぞれ設けられている。
初期画面中のユーザＩＤ欄は，前記外部メモリのユーザＩＤを参照して表示する。また，予納金残り金額は，前記外部メモリの予納金記憶領域を参照してこれを表示する。未入力の時点ではまだ変換するフォントが決まっていないから変換に要する金額（これが文字レンタル料になる）は０である。
初期画面を表示するとＣＰＵは上記初期画面中の変換元ファイル及び変換後保存先が入力されるのを待つ（Ｓ１）。これらは手入力してもよいが，ディレクトリを選択しても良い。
これらのデータが入力されると次にＣＰＵは，使用する辞書と変換前後のフォントが入力されるのを待つ（Ｓ２）。即ち辞書欄Ｄ５，フォント欄Ｄ６，フォント欄Ｄ７に入力されたかどうかを判断する。
【０００８】
これらの入力が確認されると，次いでＣＰＵは追加ボタンＢ２が押されたかどうかを判断する（Ｓ３）。追加ボタンが押されるまでは，削除ボタンＢ３を押すことで確認欄Ｄ９への入力内容は何度でも書き直すことが出来る。
追加ボタンＢ２が押されると，Ｄ５〜Ｄ７に指定された変換用辞書の種類と変換前後のフォントの種類を表示する（Ｓ４）。この時変換金額が表示される。
このようにして複数の文字列についてそれぞれ同じ又は別のフォントを指定することが出来，それらを一括して変換金額を表示することが出来る。
図７はこのような変換対象となる文字列の変換前後の例示図である。この場合，標準楷書体の「佐藤家」という文字列と，標準太楷書体の「之墓」という文字列がそれぞれ別のファイルであり，それぞれを選択して，天心楷書体という特殊文字の「佐藤家之墓」に変換している例である。
その後ＣＰＵは，変換処理実行ボタンＢ１が押されたかどうかを判断し（Ｓ５），変換処理実行ボタンＢ１が押されると，後記する所定の課金前処理を実行（Ｓ６）した後，上記変換金額が残り金額から減算され（課金処理）（Ｓ７），ゴム切り装置に指定されたフォントと文字列に関する情報がゴム切り装置に出力され（Ｓ８），ゴム切りが行なわれる。
上記Ｓ５において変換処理実行ボタンＢ１が押されることなく，記録印刷ボタンＢ４が押されたとＣＰＵが判断すると，後記する所定の課金前処理（Ｓ１０）を経て，課金処理を実行し（Ｓ１１），続いてプリンタＰＲに上記変換用辞書の種類と変換前後のフォントに基づいて文字及び文字列情報が出力され（Ｓ１２），印刷が行なわれる。印刷は，墨切りする文字を確認するための処理であるから，印刷終了後は，処理がＳ５にもどる。
【０００９】
またＳ９で記録印刷ボタンＢ４が押されない場合にも処理はＳ５に戻る。
次に，前記課金前処理Ｓ６（Ｓ１０）について図３を参照して説明する。
前記したように変換処理実行ボタンＢ１が押されると課金前処理が実行され，まず変換元ファイルの文字を変換後のフォントに変換した場合の文字について文字レンタル料が算出される（Ｓ２０）。文字レンタル料は文字種（変換後のフォント）に応じた単価に文字の数を掛けたものである。前記したようにここで使われるフォントは著作権の対象になるものでフォントによって価値が違うので，フォントごとに単価が異なる。この情報が図５に示す価格計算変数テーブルに記憶されている。
次にゴム切り料が計算される（Ｓ２１）。ゴム切り料は，ゴムをきるカッターの動く量に比例するべきという考えから文字毎の輪郭の長さに比例する。従って，大きいフォントほど高価となる。また複雑な文字ほど高価となる。ここでは文字という概念で説明しているが，この中には家紋などのマークその他の図形も含まれる。家紋などは特殊な形状であるので特に高価になる。
またゴム切り料は，ゴムの厚さにも関係する。厚いゴムほどカットするのに時間がかかり，特殊な高価なカッターが必要だからである。
このようなゴム厚やフォントの大きさに従ったゴム切り単価は図５に示す価格計算変数テーブルに記憶されており，これを参照して計算が行なわれる。但し，図５には，文字種に対応した輪郭線長当たりの単価のみが記載されている。一つの文字列は一つのファイルとして記憶されており，上記文字レンタル料とゴム切り料の計算が，表示欄Ｄ９に表示された一つの文字列について実行される（Ｓ２２）。
一つの文字列についての上記計算が終了すると，他の文字列があるかどうかが判断され，他の文字列があれば，上記Ｓ２０〜Ｓ２２の処理が繰り返され，それらが積算され（Ｓ２３），変換金額として表示され，前記したように予納金の残り金額Ｄ４から差し引かれる。
上記の手順により，石材業者は自分で文字を開発することから開放され，所望の文字に関するレンタル料を払うだけで，特殊な文字をいつでも使うことが出来，それ以外の無駄な投資をすることなく付加価値の高い文字を使って墓標を彫ることが出来る。
【００１０】
【実施例】
上の実施形態では，ユーザが変換処理実行ボタンを押さない場合に記録印刷を行なえるようになっているが，これは一例であって印刷のみ出来るような態様や或いは印刷を先に出来るような態様も当然取りうる。
また上の実施形態では，変換処理実行ボタンを押すことでゴム切りが実行されるように構成されているが，これは一例であり，例えばカッターダウンの別ボタンを設けてこれを押すことでゴム切りが開始するようにしても良い。
同様に印刷についても，印刷ペンダウンボタンを押すことで印刷が開始されるようなことも可能である。
また上の実施形態では，ゴム切り処理の料金計算についての態様を示したが，本発明はこれに限らず，文字，図形などの輪郭を持つコンテンツについての使用料計算に用いることも出来る。
【００１１】
例えば，文字などの使用料を算出するためのコンテンツ使用量算出プログラムにおいては，図２の実施形態で述べたフローチャートのように，使用する文字或いは文字列とそのフォントを指定する文字列指定手順（Ｓ１）と，各使用する文字についての輪郭長を求める輪郭長取得手順と，各文字の単位輪郭長当たりのゴム切り単価と上記輪郭長取得手順により得られた文字の輪郭長から，各文字毎の使用料を演算する文字当たり使用料演算手順と，文字列全体について上記使用料演算手順を繰り返し実行することにより文字列についての全文字使用料を算出する料金算出手順（Ｓ２１）とを備えた計算手順を具備した文字使用料算出プログラムが考えられる。もちろん，単価の異なるフォントを使用する場合にはそれらについてそれぞれ使用料を演算して合計するようにしても良い。
【００１２】
【発明の効果】
本発明に係る墓標文字使用料算出プログラムは， 墓石に墓標を刻設するための墓標文字の使用料を算出するための墓標文字使用料算出プログラムにおいて，
墓石に刻設しようとする墓標の文字或いは文字列とそのフォントを指定する文字列指定手順と，
刻設しようとする各墓標文字についての輪郭長を求める輪郭長取得手順と，
墓標文字の単位輪郭長当たりの文字使用料単価と上記輪郭長取得手順により得られた墓標文字の輪郭長から，各文字毎使用料を演算する文字当たり使用料演算手順と，
文字列全体について上記文字当たり使用料演算手順を繰り返し実行することにより文字列全体についての文字使用料を算出する料金算出手順とをコンピュータを用いて実行可能な墓標文字使用料算出プログラムとして構成されている。
従って，この発明では，石材業者等が墓標文字という特殊な文字のフォントを自分で開発する必要がなく，文字をレンタルすることで大きい投資をすることなく安価に特殊文字を使用することが出来る。また文字をレンタルする側としても，文字の輪郭というゴム切りの手間に応じた料金を徴収することが出来るので，墓標製造業という産業の発達を図ることが出来る。
また本発明に係るゴム切り料金算出プログラムは，
墓標文字を切り取ったゴム板を墓石に貼り付け，その上からサンドブラスト加工を行なうことにより墓石に墓標を刻設するための上記ゴム板に対する文字切り取りの料金を算出するためのゴム切り料金算出プログラムにおいて，
墓石に刻設しようとする墓標の文字或いは文字列とそのフォントの入力を確認する文字列指定手順と，
確認された各墓標文字についての輪郭長を求める輪郭長取得手順と，
墓標文字の単位輪郭長当たりのゴム切り単価と上記輪郭長取得手順により得られた墓標文字の輪郭長から，各文字毎のゴム切り価格を演算する文字当たりゴム切り価格演算手順と，
文字列全体について上記ゴム切り価格演算手順を繰り返し実行することによりゴム切り料金を算出する料金算出手順とをコンピュータを用いて実行可能なゴム切り料金算出プログラムとして構成されている。
従って，墓標を作成する側にとって大きい投資をすることなく墓標文字を使うことが出来，墓標文字レンタル側にとっても健全な発展を図ることが出来る。
更に，上記ゴム切り単価をゴム板の厚さに応じて決定するようにすることで，ゴムの厚さが厚くなるほど困難になるゴム切り作業について適正な価格が設定されるので，ゴム切り業の健全な発展が期待される。
該ゴム切り料金算出プログラムは，ゴム切り装置を制御するコンピュータにインストールされるのが一般的である。
上記ゴム切り取り指令を，ゴム切りカッターのダウン指令によっても良い。
本発明を装置として把握すると，
墓標文字を切り取ったゴム板を墓石に貼り付け，その上からサンドブラスト加工を行なうことにより墓石に墓標を刻設するための上記ゴム板に対する文字切り取りの料金を算出するためのゴム切り料金算出装置において，
墓石に刻設しようとする墓標の文字或いは文字列とそのフォントの入力を確認する文字列指定手段と，
確認された各墓標文字についての輪郭長を求める輪郭長取得手段と，
墓標文字の単位輪郭長当たりのゴム切り単価と上記輪郭長取得手段により得られた墓標文字の輪郭長から，各文字毎のゴム切り価格を演算する文字当たりゴム切り価格演算手段と，
文字列全体について上記ゴム切り価格演算手段による手順を繰り返し実行することによりゴム切り料金を算出する料金算出手段とを具備することを特徴とするゴム切り料金算出装置として構成することも出来る。
効果としてはプログラムの場合と同様である。
この場合も上記ゴム切り単価をゴム板の厚さに応じて決定してもよい。ゴム切り取り装置に対するゴム切り取り指令の出力に基づいて全ての手段が実行されるような構成も本発明に含まれる。
従って上記ゴム切り取り指令を，ゴム切りカッターのダウン指令により実行することも可能である。
文字のような輪郭を持ったコンテンツについては，本発明を適用すること出来る。
例えば文字などの使用料を算出するためのコンテンツ使用量算出プログラムにおいて，
使用する文字或いは文字列とそのフォントの入力を確認する文字列指定手順と，
確認された文字についての輪郭長を求める輪郭長取得手順と，
各文字の単位輪郭長当たりのゴム切り単価と上記輪郭長取得手順により得られた文字の輪郭長から，各文字毎の使用料を演算する文字当たり使用料演算手順と，
文字列全体について上記使用料演算手順を繰り返し実行することにより文字列についての全文字使用料を算出する料金算出手順とを具備することを特徴とする文字使用料算出プログラムがそれである。このような一般化された発明も本発明の範囲に属するものである。
【図面の簡単な説明】
【図１】本発明で取り扱うことが出来る種々のフォントで書かれた墓標を示す図。
【図２】本発明の一実施例に係るゴム切り料金算出プログラムのメインフローを示すフローチャート。
【図３】上記プログラムにおける課金前処理を示すフローチャート。
【図４】これらのプログラムに用いることの出来るデータベースの一例を示す図。
【図５】石材業者のパソコンを中心としたブロック図。
【図６】石材業者のパソコンにおける処理手順中に登場する初期画面の一例を示す図。
【図７】変換前後の文字列の例示図。
【符号の説明】
１…ゴム切り装置ドライバ
２…ゴム切り装置
３…外部メモリ
ＰＲ…プリンタ
ＰＣ…パーソナルコンピュータ
【図１】
0003590011.tif 000002
【図２】
0003590011.tif 000003
【図３】
0003590011.tif 000004
【図４】
0003590011.tif 000005
【図５】
0003590011.tif 000006
【図６】
0003590011.tif 000007
【図７】
0003590011.tif 000008